【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
周波数成分が互いに直交関係にある複数のキャリアを用いて情報信号が変調されてなる直交周波数分割多重被変調信号の受信信号が供給される自動利得制御手段と、
上記直交周波数分割多重被変調信号のヌルシンボル期間を検出するヌル検出手段とを備え、
上記ヌル検出手段によって上記ヌルシンボル期間が検出されたときは、該ヌル検出手段よりの検出出力によって、上記自動利得制御手段の応答速度を低速に制御するようにしたことを特徴とする受信装置。
【請求項２】
周波数成分が互いに直交関係にある複数のキャリアを用いて情報信号が変調されてなる直交周波数分割多重被変調信号の受信信号が供給される自動利得制御手段と、該自動利得制御手段よりの直交周波数分割多重被変調信号がＡ／Ｄ変換されるＡ／Ｄ変換手段と、該Ａ／Ｄ変換手段よりのデジタル直交周波数分割多重被変調信号が供給される時間同期信号発生手段と、上記デジタル直交周波数分割多重被変調信号が供給される自動周波数制御手段と、該自動周波数制御手段よりの自動周波数制御された直交周波数分割多重被変調信号及び上記時間同期信号発生手段よりの時間同期信号が供給される高速フーリエ変換手段と、該高速フーリエ変換手段よりのデジタルレベル信号及びデジタル位相信号が供給される差動復号手段とを備え、該差動復号手段よりデジタル情報信号のデジタル差動位相信号が得られるようにした復調装置を有する受信装置において、
上記高速フーリエ変換手段及び上記差動復号手段間に、上記デジタルレベル信号が供給されるデジタル自動利得制御手段を設け、
該デジタル自動利得制御手段よりの自動利得制御信号によって、上記自動利得制御手段の応答速度を制御するようにしたことを特徴とする受信装置。
【請求項３】
上記自動利得制御手段よりの直交周波数分割多重被変調信号のヌルシンボル期間を検出するヌル検出手段をさらに備え、
上記ヌル検出手段によって上記ヌルシンボル期間が検出されたときは、該ヌル検出手段よりの検出出力によって、上記自動利得制御手段の応答速度を低速に制御するようにしたことを特徴とする請求項２に記載の受信装置。
【請求項４】
上記デジタルレベル信号のレベルが所定基準レベル以下のときは、上記デジタル自動利得制御手段よりの自動利得制御信号によって、上記自動利得制御手段の応答速度を低速に制御するようにしたことを特徴とする請求項２に記載の受信装置。
【請求項５】
周波数成分が互いに直交関係にある複数のキャリアを用いて情報信号が変調されてなる直交周波数分割多重被変調信号の受信信号が供給される自動利得制御手段と、該自動利得制御手段よりの直交周波数分割多重被変調信号がＡ／Ｄ変換されるＡ／Ｄ変換手段と、該Ａ／Ｄ変換手段よりのデジタル直交周波数分割多重被変調信号が供給される時間同期信号発生手段と、上記デジタル直交周波数分割多重被変調信号が供給される自動周波数制御手段と、該自動周波数制御手段よりの自動周波数制御された直交周波数分割多重被変調信号及び上記時間同期信号発生手段よりの時間同期信号が供給される高速フーリエ変換手段と、該高速フーリエ変換手段よりのデジタルレベル信号及びデジタル位相信号が供給される差動復号手段とを備え、該差動復号手段よりデジタル情報信号のデジタル差動位相信号が得られるようにした復調装置を有する受信装置において、
複数のキャリアのうちの任意のキャリアのデジタル差動位相レベルに対し、該任意のキャリアのデジタルレベルが所定基準レベル以上のときは、該任意のキャリアの現在のデジタルレベル及び１シンボル周期前のデジタルレベルを掛け算して出力し、該任意のキャリアのデジタルレベルが上記所定基準レベル未満のときは、０レベルを掛け算して出力する掛算手段を設けたことを特徴とする受信装置。
【手続補正２】
【補正対象書類名】明細書
【補正対象項目名】０００１
【補正方法】変更
【補正の内容】
【０００１】
【発明の属する技術分野】
本発明は、周波数成分が互いに直交関係にある複数のキャリアを用いて信号を変調した直交周波数分割多重被変調信号の受信装置に関する。


【手続補正３】
【補正対象書類名】明細書
【補正対象項目名】０００６
【補正方法】変更
【補正の内容】
【０００６】
ＤＡＢ信号は、現在のところ、モード１、２、３、４の信号が知られている。ＤＡＢ信号では、基本周期として、Ｔ（＝１／２０４８ＭＨｚ＝０．４８８２８μsec ）が定められている。ここでは、モード１のＤＡＢ信号を代表して図５に示す。図５では、この基本周期Ｔと、時間とが併記されている。モード１のＤＡＢ信号の１フレームは、１９６６０８Ｔ（＝９６ｍsec ）で、継続時間が２６５６Ｔ（＝１．２９７ｍsec ）の１個のヌルシンボル（シンボル番号Ｉ＝０）と、それに続く継続時間が共に２５５２Ｔ（＝１．２４６ｍsec ）の７６個のシンボル（シンボル番号Ｉ＝１〜７６）から構成されている。


【手続補正４】
【補正対象書類名】明細書
【補正対象項目名】０００７
【補正方法】変更
【補正の内容】
【０００７】
シンボル番号Ｉ＝１〜７６のシンボルは、それぞれその始めの部分の継続時間が５０４Ｔ（＝２４６μsec ）のガードインターバルと、それに続く継続時間が２０４８Ｔ（＝１ｍsec ）の有効シンボルから構成されている。シンボル番号Ｉ＝１〜７６の各シンボルの有効シンボルには、ｋ＝１５３６個の互いに周波数を異にするマルチキャリアが含まれている。０で示されるキャリアが中心周波数のキャリア（そのキャリアの周期がＴである）、１５３６／２（＝７６６）で示されるキャリアが最高周波数のキャリア、−１５３６／２（＝−７６６）で示されるキャリアが最低周波数のキャリアである。１シンボルのデータ量は、１５３６波あり、そのデータ量は１５３６×２ｂｉｔｓ、４８ＣＵ（キャパシティユニット）×６４ｂｉｔｓある。


【手続補正５】
【補正対象書類名】明細書
【補正対象項目名】０００８
【補正方法】変更
【補正の内容】
【０００８】
シンボル番号Ｉ＝１〜７６のシンボルの全体がＯＦＤＭ（オーソゴナルフリケンシディビジョンマルチプレクス：直交周波数分割多重）シンボルと称されている。


【手続補正６】
【補正対象書類名】明細書
【補正対象項目名】０００９
【補正方法】変更
【補正の内容】
【０００９】
例えば、モード１の場合を例にとれば、シンボル番号Ｉ＝０のヌルシンボル、Ｉ＝１のシンボルはＴＦＰＲシンボル（時間周波数位相基準シンボル）とそれぞれ呼ばれ、これら２つのシンボルは、シンクロナイゼイションチャンネル（同期チャンネル）と呼ばれている。シンボル番号Ｉ＝２〜４はＦＩＣ｛ファスト（高速）インフォメーションチャンネル｝と呼ばれ、ＦＩＣ全体は１２個のＦＩＢ（ファストインフォメーションブロック）に分割される。残りのシンボル番号Ｉ＝５〜７６は４つのＣＩＦ（コモンインターリーブドフレーム）と呼ばれるものに分割される。


【手続補正７】
【補正対象書類名】明細書
【補正対象項目名】００４０
【補正方法】変更
【補正の内容】
【００４０】
図２Ｂに示すように、フェージングやマルチパスによって、複数のキャリアのレベルｒ1 、ｒ2 、ｒ3 、…………、ｒ(M-1) 、ｒM 間に大きな差があるときは、ＡＧＣ２８によって、可変利得増幅器２４の利得下げるようにする。即ち、このＡＧＣ２８では、１フレーム中のＭ個のキャリアのうち、所定基準レベル以上のものが所定個数ｍ以上あるととき、可変利得増幅器２４の利得を下げ、所定個数ｍ未満のときは、可変利得増幅器２４の利得を上げるように、可変利得増幅器２４の利得を制御する。又、１フレーム中のＭ個のキャリアのうち、所定基準レベル以上のものが所定個数ｍ未満のときは、ＡＧＣ６１よりの自動利得制御信号によって、ＡＧＣ１６、２８の可変時定数回路の時定数を大きくして、応答速度を低速にする。因み、図２Ａは、複数のキャリアのレベルｒ1 、ｒ2 、ｒ3 、…………、ｒ(M-1) 、ｒM が揃っている場合を示す。尚、Ｍは、モード１の直交周波数分割多重被変調信号の場合、１５３６である。


【手続補正８】
【補正対象書類名】明細書
【補正対象項目名】００４２
【補正方法】変更
【補正の内容】
【００４２】
これを図２Ｃを参照して、具体的に説明する。図２Ｃは、差動復号器３５ｂより出力されるデジタル差動レベルΔｒ及びデジタル差動位相Δθを、直交Ｉ、Ｑ座標上の原点Ｏから、第１、第２、第３及び第４象限の点Ｐ１、Ｐ２、Ｐ３、Ｐ４に向かうベクトルで表し、それぞれのベクトルの長さ及び角度をそれぞれΔｒ１〜Δｒ４及びΔθ１〜Δθ４で表したものである。これらの点Ｐ１〜Ｐ４が、半径が１の円周上にあり、即ち、Δｒ１〜Δｒ４が共に１となり、且つ、Δθ１、Δθ２、Δθ３及びΔθ4が、それぞれπ／４、３π／４、−３π／４、−π／４のときは、原点Ｏから点Ｐ１〜Ｐ４に向かうベクトルは基準値（０，０）、（０，１）、（１，１）、（１，０）を示すものとする。そして、基準値（０，０）、（０，１）、（１，１）、（１，０）におけるデジタル差動位相メトリックをそれぞれ７、０、−７、０とする。


【手続補正９】
【補正対象書類名】明細書
【補正対象項目名】００４３
【補正方法】変更
【補正の内容】
【００４３】
複数のキャリアのうちの任意のキャリアのデジタル差動位相レベルに対し、該任意のキャリアのデジタルレベルが所定基準レベル以上のときは、掛算器６３でにおいて、原点Ｏから点Ｐ１〜Ｐ４に向かうベクトルのデジタル差動位相Δθ１、Δθ２、Δθ３、Δθ４がそれぞれπ／４、３π／４、−３π／４、−π／４の場合、Δθ１、Δθ２、Δθ３、Δθ４の差動位相メトリックは、基準の差動位相メトリック７、０、−７、０にそれぞれ現在のデジタルレベルｒt 、１シンボル周期前のデジタルレベルｒ-T及びσ（定数）（ここでは、σ・ｒt ・ｒ-T＜１となる）を掛けて、例えば、３、０、−３、０にして、ビタビ復調器３７に供給する。


【手続補正１０】
【補正対象書類名】明細書
【補正対象項目名】００４４
【補正方法】変更
【補正の内容】
【００４４】
又、複数のキャリアのうちの任意のキャリアのデジタル差動位相レベルに対し、該任意のキャリアのデジタルレベルが所定基準レベル未満のときは、掛算器６３において、原点Ｏから点Ｐ１〜Ｐ４に向かうベクトルのデジタル差動位相Δθ１、Δθ２、Δθ３、Δθ４がそれぞれπ／４、３π／４、−３π／４、−π／４の場合、Δθ１、Δθ２、Δθ３、Δθ４の差動位相メトリックは、基準の差動位相メトリック７、０、−７、０にそれぞれ０を掛けて、ビタビ復調器３７に供給する。